(57)【要約】【課題】画像読み取り装置及び画像形成装置の操作性を向上する。【解決手段】ディジタル複写機１は、オーバーレイ用原稿からオーバーレイ用画像を読み込む第１スキャナ部１１ａと、メイン原稿からメイン画像を読み込む第２スキャナ部１１ｂと、画像の読み込みを制御する制御部４１と、外部からの操作を受け付ける外部操作パネル部５１と備え、制御部４１は、外部操作パネル部５１から１の操作を受け付けて第１スキャナ部１１ａ及び第２スキャナ部１１ｂに画像読み込み指令を出力する。【選択図】      図２
2004180222.tif 000002
【特許請求の範囲】
【請求項１】
オーバーレイ用原稿からオーバーレイ用画像を読み込む第１のスキャナと、
メイン原稿からメイン画像を読み込む第２のスキャナと、
外部からの操作を受け付ける第１操作手段と、
画像の読み込みを制御する制御手段とを備え、
前記制御手段は、前記第１操作手段から１の操作を受け付けて前記第１のスキャナ及び第２のスキャナに画像読み込み指令を出力することを特徴とする画像読み込み装置。
【請求項２】
外部からの操作を受け付ける第２操作手段を備え、
前記制御手段は、前記第２操作手段からの操作に基づいて前記第１のスキャナに対してオーバーレイ用画像を読み込む際の拡縮倍率を設定し、前記第２操作手段からの操作に基づいて前記第２のスキャナに対してメイン用画像を読み込む際の拡縮倍率を設定することを特徴とする請求項１に記載の画像読み込み装置。
【請求項３】
複数のメイン原稿を１枚ずつ前記第２のスキャナに搬送するメイン原稿給送手段を備え、
前記第１のスキャナは、フラットベッドスキャナであり、前記第２のスキャナは、前記メイン原稿給送手段によってメイン原稿を搬送中に原稿の読み取りを行なうドラムスキャナであることを特徴とする請求項１または２に記載の画像読み込み装置。
【請求項４】
請求項１〜３のいずれかに記載の画像読み込み装置と、
オーバーレイ用画像をメイン画像に合成した画像を記録紙に転写する像形成装置とを備えることを特徴とする画像形成装置。
【発明の詳細な説明】
【０００１】
【発明の属する技術分野】
本発明は、オーバーレイ用原稿及びメイン原稿からそれぞれオーバーレイ画像及びメイン画像を読み込む画像読み取り装置、及びディジタル複写機、ファクシミリ等の画像形成装置に関するものである。
【０００２】
【従来の技術】
オーバーレイ用原稿からオーバーレイ用画像を読み取って記憶装置に格納し、メイン原稿からメイン画像を読み取って、得られたメイン画像にオーバーレイ用画像を合成して記録紙に転写して出力するオーバーレイ機能を備えたディジタル複写機が知られている。
【０００３】
従来のオーバーレイ機能を備えたディジタル複写機においては、オーバーレイ用原稿からオーバーレイ用画像を読み取る為の操作と、メイン原稿からメイン画像を読み取る為の操作が別々に行なわれていた。
【０００４】
例えば、コピーモードとして、オーバーレイ用画像を読み取るためのオーバーレイ用画像読み取りモードと、メイン原稿を読み取り、読み取ったメイン画像にオーバーレイ用画像を合成して出力するオーバーレイモードとを備えたディジタル複写機が知られている（例えば、特許文献１参照）。この場合、ユーザは、まず、オーバーレイ用原稿を原稿供給装置にセットし、所定の操作（例えば、タッチパネルによる選択操作）を行なうことによってコピーモードをオーバーレイ用画像読み取りモードに設定した後、所定の操作（例えば、スタートキーを押下する操作）を行なうことによってオーバーレイ用原稿からオーバーレイ用画像が読み取られる。次に、メイン原稿を原稿供給装置にセットし、所定の操作（例えば、タッチパネルによる選択操作）を行なうことによってコピーモードをオーバーレイモードに設定した後、所定の操作（例えば、スタートキーを押下する操作）を行なうことによって読み取ったメイン画像にオーバーレイ用画像が合成されて出力される。
【０００５】
【特許文献１】
特開２００２−４４４１１公報
【０００６】
【発明が解決しようとする課題】
上記従来のオーバーレイ機能を備えたディジタル複写機においては、オーバーレイ用原稿からオーバーレイ用画像を読み取る為の操作と、メイン原稿からメイン画像を読み取る為の操作が別々に行なわれていたために、オーバーレイ用画像及びメイン画像を読み取るために必要な操作が煩雑であった。
【０００７】
本発明は上記の課題に鑑みてなされたもので、操作性の良好な画像読み取り装置、及びディジタル複写機、ファクシミリ等の画像形成装置を提供することを目的とするものである。
【０００８】
【課題を解決するための手段】
請求項１に記載の画像読み取り装置は、オーバーレイ用原稿からオーバーレイ用画像を読み込む第１のスキャナと、メイン原稿からメイン画像を読み込む第２のスキャナと、外部からの操作を受け付ける第１操作手段と、画像の読み込みを制御する制御手段とを備え、前記制御手段は、前記操作手段から１の操作を受け付けて前記第１のスキャナ及び第２のスキャナに画像読み込み指令を出力することを特徴としている。
【０００９】
上記の構成によれば、第１のスキャナによって、オーバーレイ用原稿からオーバーレイ用画像が読み込まれ、第２のスキャナによって、メイン原稿からメイン画像を読み込まれ、第１操作手段によって、外部からの操作が受け付けられ、制御手段によって、画像の読み込みが制御される。そして、制御手段によって、第１操作手段から１の操作が受け付けられて、第１のスキャナ及び第２のスキャナに画像読み込み指令が出力される。
【００１０】
従って、第１操作手段から１の操作（すなわち、１回の操作）が受け付けられて、第１のスキャナ及び第２のスキャナに画像読み込み指令が出力されるため、オーバーレイ用画像及びメイン画像を読み込む操作が簡略化され、操作性が向上する。
【００１１】
請求項２に記載の画像読み取り装置は、外部からの操作を受け付ける第２操作手段を備え、前記制御手段が、前記第２操作手段からの操作に基づいて前記第１のスキャナに対してオーバーレイ用画像を読み込む際の拡縮倍率を設定し、前記第２操作手段からの操作に基づいて前記第２のスキャナに対してメイン用画像を読み込む際の拡縮倍率を設定することを特徴としている。
【００１２】
上記の構成によれば、第２操作手段によって、外部からの操作が受け付けられ、制御手段によって、第２操作手段からの操作に基づいて第１のスキャナに対してオーバーレイ用画像を読み込む際の拡縮倍率が設定され、第２操作手段からの操作に基づいて第２のスキャナに対してメイン用画像を読み込む際の拡縮倍率が設定される。
【００１３】
従って、オーバーレイ用画像を読み込む際の拡縮倍率とメイン用画像を読み込む際の拡縮倍率とが別々に設定されるため、オーバーレイ用原稿及びメイン用原稿に対して、それぞれユーザの所望する拡縮倍率を設定することが可能となり、操作性が向上する。
【００１４】
請求項３に記載の画像読み取り装置は、複数のメイン原稿を１枚ずつ前記第２のスキャナに搬送するメイン原稿給送手段を備え、前記第１のスキャナが、フラットベッドスキャナであり、前記第２のスキャナが、前記メイン原稿給送手段によってメイン原稿を搬送中に原稿の読み取りを行なうドラムスキャナであることを特徴としている。
【００１５】
上記の構成によれば、メイン原稿給送手段によって、複数のメイン原稿が１枚ずつ第２のスキャナに搬送され、第２のスキャナがドラムスキャナであるため、第２のスキャナによって、メイン原稿給送手段によるメイン原稿の搬送中に原稿の読み取りが行われる。
【００１６】
従って、メイン原稿給送手段によって、複数のメイン原稿が１枚ずつ第２のスキャナに搬送され、第２のスキャナによって、メイン原稿給送手段によるメイン原稿の搬送中に原稿の読み取りが行われるため、複数のメイン原稿のメイン画像が容易に読み込まれる。さらに、第１のスキャナが、フラットベッドスキャナであり、第２のスキャナがドラムスキャナであるため、画像読み取り装置がコンパクトな構成で実現可能となる。
【００１７】
請求項４に記載の画像形成装置は、請求項１〜３のいずれかに記載の画像読み込み装置と、オーバーレイ用画像をメイン画像に合成した画像を記録紙に転写する像形成装置とを備えることを特徴としている。
【００１８】
上記の構成によれば、請求項１〜３のいずれかに記載の画像読み込み装置によって、オーバーレイ用原稿及びメイン原稿からオーバーレイ用画像及びメイン画像が読み込まれ、像形成装置によって、オーバーレイ用画像をメイン画像に合成した画像が記録紙に転写される。
【００１９】
従って、請求項１〜３のいずれかに記載の画像読み込み装置を備えるため、オーバーレイ用画像及びメイン画像を読み込む操作が簡略化され、操作性の向上が図られた画像形成装置が実現可能となる。
【００２０】
【発明の実施の形態】
図１は、本発明が適用されるディジタル複写機の機械的構成を主に示す側断面概略図の一例である。ディジタル複写機１は、本体部２００と、本体部２００の左側に配設された用紙後処理部３００と、ユーザが種々の操作指令等を入力するための操作部４００と、本体部２００の上部に配設された原稿読み取り部５００と、原稿読み取り部５００の上方に配設された原稿給送部６００（メイン原稿給送手段に相当する）とから構成される。
【００２１】
操作部４００は、タッチパネル４０１（第２操作手段に相当する）、スタートキー４０２（第１操作手段に相当する）及びテンキー４０３等を備える。タッチパネル４０１は、拡縮率の設定用画面を含む種々の操作画面を表示するとともに、ユーザが種々の操作指令を入力するための種々の操作ボタン等を表示する。スタートキー４０２は、ユーザが印刷実行指令等を入力するために用いられ、テンキー４０３は、印刷部数等を入力するために用いられる。
【００２２】
原稿読み取り部５００は、第１スキャナ５０１（第１のスキャナに相当する）、第２スキャナ５０２（第２のスキャナに相当する）、コンタクトガラス５０３、原稿有無センサ５０４を備え、原稿給送部６００は、原稿載置部６０１、原稿排出部６０２、給紙ローラ６０３、原稿搬送ローラ６０４、原稿押下用ドラム６０５、原稿有無センサ６０６を備える。給紙ローラ６０３は、原稿載置部６０１にセットされた原稿を繰り出し、原稿搬送ローラ６０４は、繰り出される原稿を１枚ずつ順に原稿押下用ドラム６０５に巻き付けられた状態で第２スキャナ５０２上に搬送する。第２スキャナ５０２は、搬送される原稿を搬送中に順次読み取る、いわゆるドラムスキャナであって、読み取られた原稿は、原稿排出部６０２に排出される。原稿有無センサ５０４は、コンタクトガラス５０３上のオーバーレイ用原稿の有無を検出するセンサであり、原稿有無センサ６０６は、原稿載置部６０１内のメイン原稿の有無を検出するセンサである。
【００２３】
原稿給送部６００は、複数のメイン原稿を１枚ずつ第２スキャナ５０２上に搬送するものであって、第２スキャナ５０２は、メイン原稿からメイン画像を読み込むのものである。第１スキャナ５０１は、固定された原稿を読み取る、いわゆるフラットベッドスキャナであって、コンタクトガラス５０３上に載置されたオーバーレイ用原稿からオーバーレイ用画像を読み込むものである。
【００２４】
本体部２００（像形成装置に相当する）は、複数の給紙カセット２０１、複数の給紙ローラ２０２、転写ローラ２０３、中間転写体ローラ２０４、感光体ドラム２０５、露光装置２０６、イエロー、マゼンタ、シアン、ブラックの各色用の現像装置２０７Ｙ，２０７Ｍ，２０７Ｃ，２０７Ｋ、定着ローラ２０８、排出口２０９、及び排出トレイ２１０を備える。
【００２５】
感光体ドラム２０５は、矢印方向に回転しながら帯電装置（図示省略）によって一様に帯電される。露光装置２０６は、オーバーレイ機能を使用する場合には、原稿読み取り部５００において読み取られた原稿の画像データ（メイン画像データ及びオーバーレイ用画像データ）から後述する制御部４１においてオーバーレイ用画像をメイン画像に合成した画像の画像データに基づいて生成された変調信号をレーザ光に変換して出力し、感光体ドラム２０５に各色別に静電潜像を形成する。現像装置２０７Ｙ，２０７Ｍ，２０７Ｃ，２０７Ｋは、各色の現像剤を感光体ドラム２０５に供給して各色別のトナー画像を形成する。中間転写体ローラ２０４は、感光体ドラム２０５から各色のトナー像を転写され、中間転写体ローラ２０４上にカラーのトナー像が形成される。
【００２６】
一方、給紙ローラ２０２は、記録紙が収納された給紙カセット２０１から記録紙を引き出し、転写ローラ２０３まで給送する。転写ローラ２０３は、搬送された記録紙に中間転写体ローラ２０４上のトナー像を転写させ、定着ローラ２０８は、転写されたトナー像を加熱して記録紙に定着させる。その後、記録紙は、本体部２００の排出口２０９から用紙後処理部３００に搬入される。また、記録紙は、必要に応じて排出トレイ２１０へも排出される。
【００２７】
用紙後処理部３００は、搬入口３０１、記録紙搬送部３０２、搬出口３０３及びスタックトレイ３０４等を備える。記録紙搬送部３０２は、排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００２８】
図２は、図１に示すディジタル複写機１の電気的構成を主に示すブロック図の一例である。ディジタル複写機１は、第１スキャナ部１１ａ（第１のスキャナの一部に相当する）、第２スキャナ部１１ｂ（第２のスキャナの一部に相当する）、画像処理部２１、プリンタ部３１、制御部４１（制御手段に相当する）、操作パネル部５１、パラレルＩ／Ｆ部７１、シリアルＩ／Ｆ部７２及びＨＤＤ（ハードディスクドライブ）７３を備える。
【００２９】
第１スキャナ部１１ａ及び第２スキャナ部１１ｂ、画像処理部２１、プリンタ部３１、制御部４１、操作パネル部５１、パラレルＩ／Ｆ部７１は、それぞれ、図１に示す本体部２００、用紙後処理部３００、操作部４００、原稿読み取り部５００、原稿給送部６００に相当し、これらの各部によりオーバーレイ機能を含むコピー機能が実現される。
【００３０】
操作パネル部５１は、図１に示すタッチパネル４０１等から構成されるタッチパネル部５２、及び図１に示すスタートキー４０２及びテンキー４０３等から構成される操作キー部５３を含む。操作パネル部５１は、ユーザがコピー機能に関する操作を行なうために使用され、ユーザによる操作指令等を制御部４１に与える。タッチパネル部５２は、タッチパネルとＬＣＤ（Ｌｉｑｕｉｄ  Ｃｒｙｓｔａｌ  Ｄｉｓｐｌａｙ）とを組み合わせたタッチパネルユニット等から構成され、種々の操作画面、例えば、拡縮率設定等に関する情報を表示するとともに、ユーザが当該部分をタッチすることにより種々の操作指令を入力するための操作ボタン等を表示する。操作キー部５３は、ユーザが印刷実行指令等を入力するために用いられる。
【００３１】
制御部４１は、マイクロコンピュータ及び専用のハードウェア回路等から構成され、装置全体の動作を制御するものである。制御部４１は、原稿有無センサ５０４からの信号を受けて、コンタクトガラス５０３上の原稿の有無を判定すると共に、原稿有無センサ６０６からの信号を受けて、原稿載置部６０１内の原稿の有無を判定する。特に、オーバーレイ機能を使用する場合には、制御部４１は、スタートキー４０２の押下を受け付けて、第１スキャナ部１１ａ及び第２スキャナ部１１ｂに対して、原稿から画像を読み取り、読み取った画像に対応する画像データを画像処理部２１へ出力する旨の指令をするものである。更に、オーバーレイ機能を使用する場合には、制御部４１は、タッチパネル部５２からメイン原稿及びオーバーレイ原稿の拡縮率を受け付けて、画像処理部２１（画像加工部２３）に対して、指定された拡縮率に従って画像データを拡縮する旨の指令をするものである。
【００３２】
第１スキャナ部１１ａは、図１に示す第１スキャナ５０１を構成する照明用光源１２ａ及びＣＣＤ（電荷結合素子）１３ａを含む。第１スキャナ部１１ａは、照明用光源１２ａによりオーバーレイ用原稿を照射し、その反射光をＣＣＤ１３ａで受光することにより、オーバーレイ用原稿からオーバーレイ用画像を読み取り、読み取った画像に対応するオーバーレイ用画像データを画像処理部２１へ出力する。
【００３３】
第２スキャナ部１１ｂは、図１に示す第２スキャナ５０２を構成する照明用光源１２ｂ及びＣＣＤ（電荷結合素子）１３ｂを含む。第２スキャナ部１１ｂは、照明用光源１２ｂによりメイン原稿を照射し、その反射光をＣＣＤ１３ａで受光することにより、メイン原稿からメイン画像を読み取り、読み取った画像に対応するメイン画像データを画像処理部２１へ出力する。
【００３４】
画像処理部２１は、補正部２２、画像加工部２３及び画像メモリ２４を含む。画像処理部２１は、読み取られた画像データ（メイン画像データ及びオーバーレイ画像データ）を画像メモリ２４に記憶したり、必要に応じて補正部２２及び画像加工部２３により処理するものであって、処理された画像データを画像メモリ２４に記憶したり、プリンタ部３１へ出力するものである。補正部２２は、読み取られた画像データに対してレベル補正、γ補正等の所定の補正処理を行なうものである。画像加工部２３は、画像データの圧縮又は伸張処理、拡大又は縮小処理、オーバーレイ処理等の種々の加工処理を行なうものである。ここで、オーバーレイ処理は、メイン画像データにオーバーレイ画像データをユーザがタッチパネル部５２等から指定した所定の位置及びサイズで合成し、合成画像データを生成するものである。
【００３５】
プリンタ部３１は、図１に示す給紙カセット２０１及び給紙ローラ２０２等から構成される用紙搬送部３２、図１に示す中間転写体ローラ２０４、感光体ドラム２０５、露光装置２０６及び現像装置２０７Ｙ，２０７Ｍ，２０７Ｃ，２０７Ｋ等から構成される画像形成部３３、図１に示す転写ローラ２０３等から構成される転写部３４、及び図１に示す定着ローラ２０８等から構成される定着部３５を含む。具体的には、用紙搬送部３２は記録紙を画像形成部３３へ搬送し、画像形成部３３は上記の画像データに対応するトナー像を形成し、転写部３４はトナー像を記録紙に転写し、定着部３５はトナー像を記録紙に定着させて画像を形成する。
【００３６】
ＨＤＤ７３は、第１スキャナ部１１ａ及び第２スキャナ部１１ｂによって読み取られた画像データ及び当該画像データに設定されている出力形式等を記憶するものである。
【００３７】
本実施の形態においては、第１スキャナ部１１ａ、第２スキャナ部１１ｂ、スタートキー４０２、タッチパネル部５２、原稿給送部６００及び制御部４１が画像読み込み装置の一例に相当する。また、上述のように、原稿給送部６００によって、複数のメイン原稿が１枚ずつ第２スキャナ５０２に搬送され、第２スキャナ５０２によって、原稿給送部６００によるメイン原稿の搬送中に原稿の読み取りが行われるため、複数のメイン原稿のメイン画像が容易に読み込まれる。さらに、第１スキャナ５０１が、フラットベッドスキャナであり、第２スキャナ５０２がドラムスキャナであるため、ディジタル複写機１をコンパクトな構成で実現可能となる。
【００３８】
次に、上記のように構成されたディジタル複写機１のオーバーレイ処理について説明する。図３は、図１及び図２に示すディジタル複写機１のオーバーレイ処理を説明するためのフローチャートの一例である。なお、ここでは、予めユーザによってオーバーレイ処理を行なう旨の選択が行なわれているものとし、便宜上、メイン原稿が１枚である場合について説明する。また、以下の処理は、特に記載のない限り制御部４１によって行なわれる。
【００３９】
まず、原稿有無センサ５０４からの信号を受けてコンタクトガラス５０３上のオーバーレイ原稿の有無が判定される（ステップＳ１）。オーバーレイ原稿が無いと判定された場合には、待機状態とされる。オーバーレイ原稿が有ると判定された場合には、タッチパネル部５２からオーバーレイ原稿の拡縮率が受け付けられて、画像処理部２１（画像加工部２３）に対して、指定された拡縮率に従ってオーバーレイ画像データを拡縮する旨の指令が出力される（ステップＳ３）。そして、原稿有無センサ６０６からの信号が受けつけられて、原稿載置部６０１内のメイン原稿の有無が判定される（ステップＳ５）。メイン原稿が無いと判定された場合には、待機状態とされる。メイン原稿が有ると判定された場合には、タッチパネル部５２からメイン原稿の拡縮率が受け付けられて、画像処理部２１（画像加工部２３）に対して、指定された拡縮率に従ってメイン画像データを拡縮する旨の指令が出力される（ステップＳ７）。
【００４０】
次いで、スタートキー４０２が押下されたか否かの判定が行われる（ステップＳ９）。押下されていないと判定された場合には、待機状態とされる。押下されたと判定された場合には、第１スキャナ部１１ａによって、オーバーレイ用原稿からオーバーレイ用画像が読み取られる（ステップＳ１１）。そして、読み取りが終了したか否かの判定が行われる（ステップＳ１３）。終了していないと判定された場合には、ステップＳ１１に戻り、読み取りが継続される。読み取りが終了したと判定された場合には、読み取られた画像に対応する画像データが画像処理部２１へ出力され、第２スキャナ部１１ｂによって、メイン原稿からメイン画像が読み取られる（ステップＳ１５）。
【００４１】
そして、読み取りが終了したか否かの判定が行われる（ステップＳ１７）。終了していないと判定された場合には、ステップＳ１５に戻り、読み取りが継続される。読み取りが終了したと判定された場合には、読み取られた画像に対応する画像データが画像処理部２１へ出力され、画像加工部２３によって、メイン画像データにオーバーレイ画像データが合成され合成画像データが生成される（ステップＳ１９）。次いで、プリンタ部３１によって、合成画像が記録紙に転写され出力される（ステップＳ２１）。
【００４２】
このようにして、スタートキー４０２の押下が受け付けられて、第１スキャナ５０１及び第２スキャナ５０２に画像読み込み指令が出力されるため、オーバーレイ用画像及びメイン画像を読み込む操作が簡略化され、操作性が向上される。
【００４３】
また、オーバーレイ用画像を読み込む際の拡縮倍率とメイン用画像を読み込む際の拡縮倍率とが別々に設定されるため、オーバーレイ用原稿及びメイン用原稿に対して、それぞれユーザの所望する拡縮倍率を設定することが可能となり、操作性が向上される。
【００４４】
なお、本発明は以下の形態をとることができる。
【００４５】
（Ａ）本実施形態においては、画像形成装置がディジタル複写機である場合について説明したが、ファクシミリ等の他の画像形成装置である形態でもよい。
【００４６】
（Ｂ）本実施形態においては、第１スキャナ５０１がフラットベッドスキャナであり、第２スキャナ５０２がドラムスキャナである場合について説明したが、第１スキャナ５０１及び第２スキャナ５０２が他のタイプのスキャナである形態でもよい。例えば、第１スキャナ５０１及び第２スキャナ５０２が共にドラムスキャナである形態でもよい。
【００４７】
（Ｃ）本実施形態においては、第１操作手段がスタートキー４０２であり、第２操作手段がタッチパネル４０１である場合について説明したが、他の操作手段である形態でもよい。例えば、第１操作手段がタッチパネル４０１に表示された所定のボタンであり、第２操作手段がタッチパネル４０１に表示された他のボタンである形態でもよい。
【００４８】
（Ｄ）本実施形態においては、図３のフローチャートに示すようにオーバーレイ原稿の有無の判定処理をメイン原稿の有無の判定処理より前に実施する場合について説明したが、これらの判定処理の順序が逆である形態でもよい。
【００４９】
（Ｅ）本実施形態においては、図３のフローチャートに示すようにオーバーレイ用画像の読み取り処理をメイン画像が読み取り処理よりより前に実施する場合について説明したが、これらの読み取り処理の順序が逆である形態でもよいし、併行して行なう形態でもよい。
【００５０】
【発明の効果】
請求項１に記載の発明によれば、第１操作手段から１の操作が受け付けられて、第１のスキャナ及び第２のスキャナに画像読み込み指令が出力されるため、オーバーレイ用画像及びメイン画像を読み込む操作が簡略化でき、操作性を向上できる。
【００５１】
請求項２に記載の発明によれば、オーバーレイ用画像を読み込む際の拡縮倍率とメイン用画像を読み込む際の拡縮倍率とが別々に設定されるため、オーバーレイ用原稿及びメイン用原稿に対して、それぞれユーザの所望する拡縮倍率を設定することが可能となり、操作性を向上できる。
【００５２】
請求項３に記載の発明によれば、メイン原稿給送手段によって、複数のメイン原稿が１枚ずつ第２のスキャナに搬送され、第２のスキャナによって、メイン原稿給送手段によるメイン原稿の搬送中に原稿の読み取りが行われるため、複数のメイン原稿のメイン画像を容易に読み込むことができる。さらに、第１のスキャナが、フラットベッドスキャナであり、第２のスキャナがドラムスキャナであるため、画像読み取り装置をコンパクトな構成で実現できる。
【００５３】
請求項４に記載の発明によれば、請求項１〜３のいずれかに記載の画像読み込み装置を備えるため、オーバーレイ用画像及びメイン画像を読み込む操作を簡略化でき、操作性の良好な画像形成装置が実現できる。
【図面の簡単な説明】
【図１】本発明が適用されるディジタル複写機の機械的構成を主に示す側断面概略図の一例である。
【図２】図１に示すディジタル複写機の電気的構成を主に示すブロック図の一例である。
【図３】図１及び図２に示すディジタル複写機のオーバーレイ処理を説明するためのフローチャートの一例である。
【符号の説明】
１１ａ  第１スキャナ部（第１のスキャナの一部）
１１ｂ  第２スキャナ部（第２のスキャナの一部）
４１  制御部（制御手段）
５１  操作パネル部
５２  タッチパネル部（第２操作手段）
５３  操作キー部（第１操作手段）
６００  原稿給送部（メイン原稿給送手段）
【図１】
2004180222.tif 000003
【図２】
2004180222.tif 000004
【図３】
2004180222.tif 000005